(57)【特許請求の範囲】
【請求項１】
原稿を読み取る画像読み取り手段と、
前記画像読み取り手段が読み取った画像データを外部に送信する第１の画像処理機能と、
所定の温度で立ち上がった状態で、前記画像読み取り手段が読み取った画像データをもとに画像を形成する第２の画像処理機能と、
前記第１の画像処理機能及び前記第２の画像処理機能を電源投入から動作が可能な状態にそれぞれ立ち上げて画像処理動作を行う画像処理装置であって、
前記画像読み取り手段における白レベル補正及び／又は黒レベル補正を、前記電源投入後、すぐに実行し、前記第１の画像処理機能を立ち上げ、かつ前記第２の画像処理機能が前記所定の温度で立ち上がるときに再び実行し、当該画像処理機能を立ち上げるようにしたことを特徴とする画像処理装置。
【請求項２】
前記画像読み取り手段が白黒読み取りとカラー読み取りの各機能を持つ請求項１に記載された画像処理装置において、
前記白レベル補正及び／又は黒レベル補正の実行タイミングを、前記カラー読み取り機能を用いる場合は、前記電源投入後、すぐに実行する前記白黒読み取り機能を用いる場合よりも遅らせて再び実行し、前記第１の画像処理機能を立ち上げるようにしたことを特徴とする画像処理装置。
【請求項３】
前記画像読み取り手段が２値読み取りと多値読み取りの各機能を持つ請求項１又は２に記載された画像処理装置において、
前記白レベル補正及び／又は黒レベル補正の実行タイミングを、前記多値読み取り機能を用いる場合は、前記電源投入後、すぐに実行する前記２値読み取り機能を用いる場合よりも遅らせて再び実行し、前記第１の画像処理機能を立ち上げるようにしたことを特徴とする画像処理装置。
【請求項４】
前記第２の画像処理機能を立ち上げる際に当該画像処理機能における画像形成の動作条件を設定するプロセスコントロールを行う請求項１乃至３のいずれかに記載された画像処理装置において、
前記第２の画像処理機能が前記所定の温度で立ち上がるときに実行する白レベル及び／又は黒レベル補正の前に前記プロセスコントロールを行うようにしたことを特徴とする画像処理装置。
【請求項５】
前記画像読み取り手段における偽造防止用のバーコードの読み取りを行う請求項１乃至４のいずれかに記載された画像処理装置において、
最初の白レベル及び／又は黒レベル補正後で、かつ前記第２の画像処理機能が前記所定の温度で立ち上がるまでの間に、前記画像読み取り手段は前記偽造防止用のバーコードの読み取りを行うようにしたことを特徴とする画像処理装置。
【請求項６】
請求項１乃至５のいずれかに記載された画像処理装置において、
前記第１の画像処理機能がＦＡＸ機能又はスキャナ機能であることを特徴とする画像処理装置。
【発明の詳細な説明】
【０００１】
【発明の属する技術分野】
本発明は、原稿画像を読み取り、画像データに変換する画像読み取り手段、画像データをもとに電子写真プロセスによりカラー及び／又は白黒画像を形成する画像形成手段を備え、コピー・ＦＡＸ・スキャナ・プリンタ機能を有する複合型の画像処理装置に関し、より詳細には、電源投入時に画像形成が可能な状態に立ち上げるまでに、スキャナの白レベル補正及び／又は黒レベル補正を複数回行うことにより迅速に各機能の動作に適した状態を準備するようにした前記画像処理装置に関する。
【０００２】
【従来の技術】
従来より、デジタル複写機、ＦＡＸ、スキャナ、等において原稿読み取り装置が用いられている。原稿読み取り装置は、ＣＣＤラインイメージセンサを有し、読み取り光学系を介して伝達される原稿画像をＣＣＤラインイメージセンサにより光電変換する。また、原稿読み取り装置は補正手段を備え、読み取り時の温度等の変動要素に影響されるこのＣＣＤラインイメージセンサの出力に、電気的な手段を用いて各種の補正を施し、所望の画像データを出力させている。このＣＣＤラインイメージセンサの出力に施される補正の中でも、アナログ段階で行う白レベル補正や黒レベル補正（以下、「ＡＧＣ処理」という）は、画像データを生成する処理には欠かせないもので、読み取り時に、個々の原稿読み取り装置の当該センサ出力状態に応じて行われる。通常、読み取り時に、黒基準及び白基準を当該センサにより検知し、センサの状態を表す検知データ値に対応したパラメータを、読み取った画像を処理するスキャナ回路に設定することによって行う。
つまり、ここでいう「白レベル補正及び／又は黒レベル補正」は当事者において自明のものであるが、原稿を読み取る画像読み取り手段において白基準及び／又は黒基準を読み取って得られた検知データ値に対応したパラメータを画像読み取り手段に設定して、光源の光量や例えばＣＣＤラインイメージセンサの感度の変動・バラツキなどによる出力画像の変動を平滑化するように調整することをいう。詳細には、例えば、同一発明者の先願に係る特開昭６３−３１２６７号公報や特開平２−７６７０号公報等にも記載されている。
【０００３】
従来、原稿読み取り装置におけるＡＧＣ処理は、電源立ち上げ時に行われるが、そのタイミングは読み取り装置が適用される機器に応じて適当に決められている。
デジタル複写機の場合には、電源から作像が可能となるまでの間に装置内の温度が変動し、ＣＣＤやアナログ回路の信号レベルにおいて温度ドリフトが避けられないという理由から、できるだけ原稿読み取り直前でその処理を実行する方法が採られる。特に、階調性が重要視されるカラー複写機の場合は画像への影響が発生する可能性があるので、通常、読み取り直前のタイミングで行われる。実際には、電子写真プロセスにおける定着温度が立ちあがる直前（定着リロード温度到達後）に実行すれば良く、定着立ち上げ時間という十分な時間が与えられるので、この補正を行うために余分な待ち時間を必要としない。
一方、ＦＡＸ、スキャナの場合には、電源ONしてすぐにＦＡＸ送信やスキャナ機能を用いることが要求されるので、電源ON直後に行われ、スキャナスタート信号が来次第すぐに読み取りを開始する。このようなことから、従来技術として、原稿読み取り開始するまでの時間をできるだけ短縮することを目的として、読み取りが可能となるまでの待機時に黒レベル補正を行い、読み取りスタート時に白レベル補正を行う、とした提案もなされている。
【０００４】
【発明が解決しようとする課題】
しかしながら、ＦＡＸ機能等を有する複合型の複写機において、原稿読み取り装置がＦＡＸ機能とコピー機能とに共通に用いられることから、原稿読み取り装置の補正を、ＦＡＸ機能を重視して、上記したように電源ON直後に行うようにすると、読み取り結果がＦＡＸに用いられる場合は良いが、コピーに用いられる場合に、電源ON直後に設定したパラメータがその後生じる温度ドリフトによりコピー時には最適な値から外れてしまい、適正な補正がなされない。
一方、複写機能を重視して、定着温度が所定の温度に立ちあがり、温度条件が安定する、直前に行うようにすると、ＦＡＸ機能を実際には利用しようとしている場合には、待ち時間が生じ無駄な時間が費やされることになる。
本発明は、ＦＡＸ機能などを有する複合型の複写機における上記した従来技術の問題点に鑑みてなされたもので、その目的は、原稿画像読み取り手段、電子写真プロセスによりカラー及び／又は白黒画像を形成する画像形成手段を備え、コピー・ＦＡＸ・スキャナ・プリンタ機能を有する複合型の画像処理装置の原稿読み取り装置における白レベル補正及び／又は黒レベル補正を、複合された機能のいずれを用いる場合にも最適な条件で行うことを可能とし、コピーやプリントの画像品質を落とさずに、電源ON時すぐにＦＡＸ送信・スキャナ読み取りができるようにすることにある。
【０００５】
【課題を解決するための手段】
請求項１の発明は、原稿を読み取る画像読み取り手段と、前記画像読み取り手段が読み取った画像データを外部に送信する第１の画像処理機能と、所定の温度で立ち上がった状態で、前記画像読み取り手段が読み取った画像データをもとに画像を形成する第２の画像処理機能と、前記第１の画像処理機能及び前記第２の画像処理機能を電源投入から動作が可能な状態にそれぞれ立ち上げて画像処理動作を行う画像処理装置であって、前記画像読み取り手段における白レベル補正及び／又は黒レベル補正を、前記電源投入後、すぐに実行し、前記第１の画像処理機能を立ち上げ、かつ前記第２の画像処理機能が前記所定の温度で立ち上がるときに再び実行し、当該画像処理機能を立ち上げるようにしたことを特徴とする。
【０００６】
請求項２の発明は、前記画像読み取り手段が白黒読み取りとカラー読み取りの各機能を持つ請求項１に記載された画像処理装置において、前記白レベル補正及び／又は黒レベル補正の実行タイミングを、前記カラー読み取り機能を用いる場合は、前記電源投入後、すぐに実行する前記白黒読み取り機能を用いる場合よりも遅らせて再び実行し、前記第１の画像処理機能を立ち上げるようにしたことを特徴とする。
【０００７】
請求項３の発明は、前記画像読み取り手段が２値読み取りと多値読み取りの各機能を持つ請求項１又は２に記載された画像処理装置において、前記白レベル補正及び／又は黒レベル補正の実行タイミングを、前記多値読み取り機能を用いる場合は、前記電源投入後、すぐに実行する前記２値読み取り機能を用いる場合よりも遅らせて再び実行し、前記第１の画像処理機能を立ち上げるようにしたことを特徴とする。
【０００８】
請求項４の発明は、前記第２の画像処理機能を立ち上げる際に当該画像処理機能における画像形成の動作条件を設定するプロセスコントロールを行う請求項１乃至３のいずれかに記載された画像処理装置において、前記第２の画像処理機能が前記所定の温度で立ち上がるときに実行する白レベル及び／又は黒レベル補正の前に前記プロセスコントロールを行うようにしたことを特徴とする。
【０００９】
請求項５の発明は、前記画像読み取り手段における偽造防止用のバーコードの読み取りを行う請求項１乃至４のいずれかに記載された画像処理装置において、最初の白レベル及び／又は黒レベル補正後で、かつ前記第２の画像処理機能が前記所定の温度で立ち上がるまでの間に、前記画像読み取り手段は前記偽造防止用のバーコードの読み取りを行うようにしたことを特徴とする。
【００１０】
請求項６の発明は、請求項１乃至５のいずれかに記載された画像処理装置において、
前記第１の画像処理機能がＦＡＸ機能又はスキャナ機能であることを特徴とする。
【００１３】
【発明の実施の形態】
本発明を添付する図面とともに示す以下の実施例に基づき説明する。
本発明に係わる画像処理装置は、コピー・ＦＡＸ・スキャナ・プリンタ機能を有する複合型の画像処理装置を構成する。
図１は、本発明に係わる画像処理装置の実施例の全体ブロック図を示す。
図１を参照し、本実施例の装置の構成要素及び機能の概略を、以下に説明する。
本例の装置は、カラースキャナ部１と、ＦＡＸ Ｉ／Ｆ部２と、スキャナ／プリンタ Ｉ／Ｆ部３と、画像処理部４と、カラープリンタ部５と、制御部６と、を有する。また、装置はＦＡＸ Ｉ／Ｆ部２から回線を通して外部のＦＡＸと接続され、スキャナ／プリンタ Ｉ／Ｆ部３からケーブルを介してホスト（ＰＣ：パーソナル コンピュータ等）７と接続され、双方向に画像データの通信を行う。
【００１４】
像入力部としてカラースキャナ部１、ＦＡＸ Ｉ／Ｆ部２、スキャナ／プリンタ Ｉ／Ｆ部３を備える。
カラースキャナ部１は原稿をＣＣＤなどのイメージセンサで原稿画像を読み取り、アナログ信号に変換して、アナログ信号処理、Ａ／Ｄ変換、シェーディング補正した後、画像データとして出力する。
ＦＡＸ Ｉ／Ｆ部２は電話回線からのＦＡＸデータを復調して画像データを出力し、また、カラースキャナ部１で読み取った画像データを後述する画像処理部４でＦＡＸ用に処理後、変調して電話回線に出力する。
スキャナ／プリンタ Ｉ／Ｆ部３はＰＣ等からケーブルで送られてきた画像データを受け取りカラープリンタ部５に出力し、また、カラースキャナ部１で読み取った画像データを画像処理部４でγ補正後、ＰＣ７等へ出力する。
【００１５】
これらを通して入力される画像データは画像処理部４でγ補正、変倍、色補正、階調補正などの処理後、カラープリンタ部５で画像形成される。
制御部６はＦＡＸ Ｉ／Ｆ部２、スキャナ／プリンタ Ｉ／Ｆ部３、画像処理部４及びカラープリンタ部５、各部の構成ユニット間のシーケンス制御と画像データ処理制御をコマンドデータにより行うことにより、コピー・ＦＡＸ・スキャナ・プリンタ機能を実行する。
コピー機能時はカラースキャナ部１で読んだ原稿の画像データを画像処理部４を介してカラープリンタ部５へ出力し、プリントアウトする。
ＦＡＸ機能時はＦＡＸ Ｉ／Ｆ部２で受信した画像データを画像処理部４を介してカラープリンタ部５へ出力したり、カラースキャナ部１で読んだ原稿の画像データをＦＡＸ Ｉ／Ｆ部２から送信する。スキャナ出力は機能別に白黒データならばＧ出力のみ、カラーデータならばＲ・Ｇ・Ｂ出力となり、２値データならば、２ビット出力、多値データならば例えば、８ビット（１０ビット）出力となる。
スキャナ／プリンタ機能時はスキャナ／プリンタ Ｉ／Ｆ部３で受信した画像データを画像処理部４を介してカラープリンタ部５へ出力したり、カラースキャナ部１で読んだ原稿の画像データをスキャナ／プリンタ Ｉ／Ｆ部３から送信する。
【００１６】
次に、上記した実施例の画像処理装置における電源投入時の動作を説明する。
本発明に係わる画像処理装置は、コピー・ＦＡＸ・スキャナ・プリンタ機能を有しており、電源投入後、すぐにいずれかの機能が利用されるという前提で、電源投入時の立ち上げ、初期設定等の初期動作が進められる。即ち、電源投入後、どの機能が利用されても立ち上がり時間を不要に伸ばさずに短い所要時間で、最適な設定がなされ、目的の機能が実行できるようにする。
このため、先ず、カラースキャナ部１を立ち上げる。即ち、スキャナＡＧＣ処理（白レベル補正及び黒レベル補正）等の初期設定動作を行い、ＦＡＸやスキャナ機能が利用できる状態となるように立ち上げる。その後、コピー機能の実行に必要な作像プロセスを行うカラープリンタ部５等を画像形成が可能な状態となるように立ち上げる（なお、定着ウオームアップについては、電源ON時から開始しても良い）。
このような手順で立ち上げ動作を行う場合に、スキャナ機能を立ち上げた後に、定着ウオームアップ等が進行することになり、時間の経過に伴い温度条件が変化することから、スキャナ機能立ち上げ時のスキャナＡＧＣ処理による設定は適正ではなくなってくる。従って、所定の温度に達した時に、コピー機能に必要なカラースキャナ部１の設定を温度条件に合わせるために、再びスキャナＡＧＣ処理を行うことにし、コピーを行う時点における設定を適正化する。
つまり、電源投入後、すぐに行うスキャナＡＧＣ処理によりＦＡＸやスキャナ機能の立ち上げを適正化し、その後、画像形成が可能な状態となる所定の温度で立ち上がるときに再びスキャナＡＧＣ処理を行うことで、コピー機能の立ち上げを適正化する（後述の図２のフローに示す実施例、参照）。
【００１７】
一方、本例の装置は、処理する画像データとして白黒／カラー、或いは、２値／多値の場合があり、各々のデータ入力に用いるスキャナの読み取り機能にも違いがあり、カラー画像データ或いは多値画像データの読み取りに対してはより高い精度が求められる。
本発明では、使用する読み取り機能によってその読み取り画像データの利用を制限する。即ち、電源ON時直後に行うＡＧＣ処理による設定は温度等が変動し不安定な状態でありカラー画像データ或いは多値画像データの読み取りに対しては適正な動作が保証されないので、この場合、ＦＡＸ機能のデータとしては利用するが、スキャナ機能のデータとして出力し利用することはしないようにする。
このような初期設定時の動作により、電源投入時にＦＡＸやスキャナ機能を利用する場合、或いはコピー機能を利用する場合の何れにおいても、短い所要時間で、適正な動作がなされる。
【００１８】
図２及び図３は、電源投入時に行われる本実施例の画像処理装置の初期設定動作のフローチャートを示す。図２は、スキャナ部で白黒・２値画像データの読み取り機能を利用する場合に適用するもので、図３は、スキャナ部でカラー・多値画像データの読み取り機能を利用する場合に適用するものである。
先ず、白黒・２値画像データの読み取り機能を利用する場合の電源投入時の本装置の動作を図２のフローを参照して、より詳細に説明する。
このフローは、電源ONにより開始される。電源ON後、先ず、カラースキャナ部１においてＡＧＣ処理（処理内容は後述する）を実行する（Ｓ２０）。
その後、偽造防止用のバーコード処理を行う（Ｓ２１）。この処理では、スキャナ内部のバーコードを読み取って機番を確認し、コピー・プリント時に機番に応じた追跡パターンを出力画像中に書き込むための設定を行う。
ここまでの処理を行った後は、ＦＡＸ送信・スキャナを使用可能とする（Ｓ２２）。ここでは、スキャナ機能として白黒・２値画像データの読み取り機能を利用した場合であるから、電源ON直後の不安定な条件下において行われたＡＧＣ処理であっても、スキャナ部１で読み取られた２値画像データをスキャナ機能によるデータ出力を行い例えばＰＣで利用するためにに送信し、又、ＦＡＸ送信に利用しても実用上問題が生じない。
【００１９】
フローではここで、電源ON時からON状態にあるカラープリンタ部５における２本の定着ローラのヒータのうち加圧（下）ヒータの温度が１００度以上であるかをチェックする（Ｓ２３）。このチェックは、現在のカラープリンタ部５の状態を知るために行うもので、プリンタ部を以前に動作させて、その後あまり長く休止させていなかったかを、加圧（下）ヒータの温度により推測するために、温度のチェックをするものである。
ここで、温度が１００度未満ならば、長く休止していた状態であったと推測し、プリンタ作像条件の再設定のために「朝一プロコン動作」を行う（Ｓ２４）。
その後、プリンタの階調特性設定のために「プロコンγ処理」を行う（Ｓ２５）。なお、上記したプリンタのプロコンは長い休止時間後に通常行われる電位制御と光量制御によるプリンタのプロセスコントロール手順で、それ自体は従来から行われている。従って、その内容については、ここでは詳述しない。
ステップＳ２３で、加圧（下）ヒータが１００度以上であれば、少し前にプリンタを使用していたとして、「朝一プロコン動作」と「プロコンγ処理」は行わない。
また、定着ヒータがONして加熱され、所定の動作温度に達するまでに、カラープリンタ部５における作像動作に必要なデータのダウンロードなどのプリンタ部における電源投入時の処理が行われる（Ｓ２６）。
【００２０】
次に、加熱が続けられている加圧（下）ヒータが定着可能なリロード温度（例えば１６０度）に達したか否かをチェックする（Ｓ２７）。この温度に達した時点では、加熱中に変化し続けた装置内の温度が定常状態に近づき画像形成時の状態とみなせる。
従って、加圧（下）ヒータがリロード温度に達した時点で、温度条件に影響を受けるカラースキャナ部１のスキャナＡＧＣ処理を再び実行する（Ｓ２８）ことにより、コピー作成に使用するスキャナ回路のパラメータを適正な値に再設定する。
スキャナＡＧＣ処理後、定着（上）及び加圧（下）ヒータがリロード温度に達したか否かをチェックし（Ｓ２９）、リロード温度に達した時点でコピー・プリント可能となる。
なお、上記実施例において、「電源ON時」はメインスイッチでのONのみでなく、省エネスイッチON時（メインスイッチOFF時でもＦＡＸ受信可能な状態となる）も含む。また、上述したバーコード処理（Ｓ２１）を行うタイミングは２度目のスキャナＡＧＣ処理（Ｓ２８）の後に行ってもよい。
【００２１】
次いで、スキャナ部でカラー・多値画像データの読み取り機能を利用する場合の電源投入時の本装置の動作を図３のフローを参照して、より詳細に説明する。
このフローは、電源ONにより開始される。電源ON後、先ず、カラースキャナ部１においてＡＧＣ処理（処理内容は後述する）を実行する（Ｓ１０）。
その後、偽造防止用のバーコード処理を行う（Ｓ１１）。この処理では、スキャナ内部のバーコードを読み取って機番を確認し、コピー・プリント時に機番に応じた追跡パターンを出力画像中に書き込むための設定を行う。
ここまでの処理を行った後に、ＦＡＸ機能を立ち上げＦＡＸ送信を可能とする（Ｓ１２）。ここでは、Ｓ１０でスキャナのＡＧＣ処理を行ったので、カラースキャナ部１の読み取り画像データをＦＡＸ送信に利用することを可能とするが、電源ON直後の不安定な条件下における処理であるからＦＡＸ機能への利用を可能としても、カラースキャナ部１で読み取られたデータを例えばＰＣでカラー・多値画像データとして利用するために送信するといったスキャナ機能への使用を制限する。
【００２２】
この後、電源ON時からON状態にあるカラープリンタ部５における２本の定着ローラのヒータのうち加圧（下）ヒータの温度が１００度以上であるかを現在のカラープリンタ部５の温度環境を知るためにチェックする（Ｓ１３）。
ここで、温度が１００度未満ならば、プリンタ作像条件の再設定のために「朝一プロコン動作」を行い（Ｓ１４）、その後、プリンタの階調特性設定のために「プロコンγ処理」を行う（Ｓ１５）。
ステップＳ１３で、加圧（下）ヒータが１００度以上であれば、プリンタが既に使用状態にあると推定し、「朝一プロコン動作」と「プロコンγ処理」は行わない。
また、プリンタの立ち上げ処理として定着ヒータが所定の動作温度に達するまでに、カラープリンタ部５における作像動作に必要なデータのダウンロードなどの処理が行われる（Ｓ１６）。
【００２３】
次に、加熱が続けられている加圧（下）ヒータが定着可能なリロード温度（例えば１６０度）に達したか否かをチェックし（Ｓ１７）、画像形成時の状態とみなせるリロード温度に達した時点で、温度条件の影響を受けるカラースキャナ部１のスキャナＡＧＣ処理を再び実行する（Ｓ１８）ことにより、コピー作成に使用するスキャナ回路のパラメータを適正な値に再設定する。
スキャナＡＧＣ処理後、定着（上）及び加圧（下）ヒータがリロード温度に達したか否かをチェックし（Ｓ１９）、リロード温度に達した時点でコピー・プリント可能となる。
なお、上記実施例において、「電源ON時」はメインスイッチでのONのみでなく、省エネスイッチON時（メインスイッチOFF時でもＦＡＸ受信可能な状態となる）も含む。  また、上述したバーコード処理（Ｓ１１）を行うタイミングは２度目のスキャナＡＧＣ処理（Ｓ１８）の後に行ってもよい。
【００２４】
次に、上記した実施例の画像処理装置における電源ON時のスキャナ動作を説明する。このスキャナ動作は、上記した図２，図３により示された画像処理装置の電源投入時の動作に対応して並行に行われる。
図４は、電源ON時に行われる本実施例の画像形成装置のスキャナ動作のフローチャートを示す。
図４に示されるように、本フローは電源ONにより開始され、カラースキャナ部１は、電源ONされた時点で、いくつかの初期動作を行う。
先ず、イメージセンサのＣＣＤ等を駆動するタイミング信号を発生するＡＳＩＣの初期レジスタを設定する（Ｓ３０）。また、制御部６のメインボード上のＮＶＲＡＭにメモリされたバックアップデータ（スキャナ単体で調整された調整値）をシリアルデータで受信し（Ｓ３１）、そのデータをもとにＤＡＣ（ディジタル／アナログ コンバータ）の初期値を設定する（Ｓ３２）。ＤＡＣでは、デジタル値で与えられた初期設定値をアナログ電圧値に変え、アナログ量でＡＧＣやシェーディング補正を行うスキャナ回路のパラメータを設定する。
【００２５】
初期動作終了後、初期設定された動作条件によりスキャナを動作させ、スキャナＡＧＣ処理を行う（Ｓ３３）。
ＡＧＣ処理（白レベル補正及び黒レベル補正）は、先ず、スキャナランプをOFFの状態にして基準黒部をＣＣＤにより読み取り、得た黒レベル値が目標値になるようにスキャナ回路のパラメータを設定するという操作を行って得たパラメータ値をメモリに記憶する。次に、ランプをONにして基準白板を読み取り、得た白レベル値が目標値になるようにスキャナ回路のパラメータを設定するという操作を行って得たパラメータ値をメモリに記憶する。メモリに記憶したパラメータは、原稿読み取り時に設定され、読み取られた黒レベル・白レベルが所定の値となるように補正される。
上記したＡＧＣ処理後に、ＣＣＤにより基準白板を読み取って、ＡＧＣ調整された出力値に基づいて主走査方向のすべての画素単位のデータをメモリに記憶し、シェーディングデータの取込を行う（Ｓ３４）。このデータを用いて原稿読み取り時にシェーディング補正を行う。
【００２６】
次に、原稿領域外に貼付された機械ごとに異なるバーコードを読み取って、メインボード上のＮＶＲＡＭ内の登録機械番号と照合する（Ｓ３５）。もし、不一致の場合は偽造防止のためにサービスマン コールの異常表示をして機械は停止する。
ＡＧＣ実行（Ｓ３３）からバーコード読取動作実行（Ｓ３５）までの手順は、スキャナの原稿照明ランプをONし、読み取り部を載せたキャリッジが１回スキャン動作を行うことにより達成される。
ここで、ＦＡＸ送信とスキャナ読み取りが可能となるので、スキャナにスキャナスタート信号がくることを確認し（Ｓ３６）、確認できれば、スキャンを実行する（Ｓ３７）なお、図３の動作例においては、スキャナが読み取った画像データ（カラー・多値）は、ＦＡＸ送信に利用されるが、カラー・多値画像データとして利用しない。
【００２７】
次に、図２，３のフローでの説明のように、定着加圧（下）ヒータがリロード温度達成後に、ＡＧＣが再実行される。ここで、ＦＡＸ送信とスキャナ読み取りだけを行う動作であると、定着用のヒータは駆動されずに（従って、図２のＳ２７、図３のS1７で定着加圧（下）ヒータがリロード温度に達しない）ＡＧＣが再実行されないこともあり得るが、本例の場合は、コピー・プリント動作が起動している場合で、このＡＧＣの実行は、定着加圧（下）ヒータがリロード温度達成後に、メインからのシリアルコマンドで実行される。スキャナ側の手順としては、メインからＡＧＣスタート信号がくることを確認し（Ｓ３８）、確認できれば、ＡＧＣを実行する（Ｓ３９）。
その後、定着（上）・（下）ヒータがリロード温度到達後にコピー・プリント可能、また図３の場合には動作を制限していたスキャナについても可能となる（図２のＳ２９，図３のＳ１９）ので、この時にコピー・プリント（場合によってスキャナ）用として実際に原稿の読み取りを行うためにスキャナを起動させる。スキャンの実行は、メインからのシリアルコマンドで実行される。スキャナ側の手順としては、メインからスキャナスタート信号がくることを確認し（Ｓ４０）、確認できれば、スキャンを実行する（Ｓ４１）。
【００２８】
【発明の効果】
（１）  請求項１の発明に対応する効果
電源投入による画像処理装置の立ち上げ時に行う画像読み取り手段におけるＡＧＣ処理（白レベル補正及び／又は黒レベル補正）を、先ず電源投入後にすぐに実行し、電源ON時からの立ち上がりが遅いコピー機能（画像読み取り手段が読み取った画像データをもとに画像を形成する機能）よりも早く立ち上がるＦＡＸやスキャナ機能（画像読み取り手段が読み取った画像データを外部に送信する機能）の立ち上げに合わせることで、無駄な時間を費やすこと無く当該機能による適正な動作を確保することができる。また、画像を形成する動作が可能な所定の温度でコピー機能が立ち上がる時に、再度ＡＧＣ処理を行い、当該機能の立ち上げに合わせることで、先のＡＧＣ処理からの間に生じる温度ドリフトの影響を受けずにスキャナ回路に適正なパラメータを設定することができるので、形成された画像が高品質に保たれる。
【００２９】
（２）  請求項２の発明に対応する効果
上記（１）の効果に加えて、ＡＧＣ処理の実行タイミングを、カラー読み取り機能を用いる場合は、白黒読み取り機能を用いる場合よりも遅らせることで、白黒スキャナとしてはすぐに使用できる状態に立ち上げることができ、また、カラースキャナとしては精度の保証ができる状態に立ち上げることで、精度を確保することができる。
（３）  請求項３の発明に対応する効果
上記（１）、（２）の効果に加えて、ＡＧＣ処理の実行タイミングを、多値読み取り機能を用いる場合は、２値読み取り機能を用いる場合よりも遅らせることで、２値スキャナとしてはすぐに使用できる状態に立ち上げることができ、また、多値スキャナとしては精度の保証ができる状態に立ち上げることで、精度を確保することができる。
【００３０】
（４）  請求項４の発明に対応する効果
上記（１）〜（３）の効果に加えて、電子写真プロセスによる画像形成手段を用いる場合に、スキャナにおけるＡＧＣ処理を定着リロード温度到達後に実行し、また、当該ＡＧＣ処理の前に前記画像形成手段におけるプロセスコントロールを行うことにより、コピー機能を立ち上げる場合に、立ち上げの所要時間を不要にのばすことなく、適切なタイミングでＡＧＣ処理が行われ、スキャナ回路に適正なパラメータを設定することが可能となる。
（５）  請求項５の発明に対応する効果
上記（１）〜（４）の効果に加えて、カラーコピーとして不可欠な偽造防止用のバーコード読み取り動作を、最初の白レベル及び／又は黒レベル補正後で、かつ前記画像形成手段を画像形成可能な状態に立ち上げる途中の都合がよいタイミングで実施できるので、立ち上がり時間を不要にのばすことを防止できる。
（６）  請求項６の発明に対応する効果
コピー・ＦＡＸ・スキャナ・プリンタ機能の動作が可能な複合型の画像処理装置において、上記（１）〜（５）の効果を具現化することができる。
【図面の簡単な説明】
【図１】  本発明に係わる画像処理装置の実施例の全体ブロック図を示す。
【図２】  本発明の画像処理装置の電源投入時に行われる初期設定動作の１例を示すフローチャートである。
【図３】  本発明の画像処理装置の電源投入時に行われる初期設定動作の他の例を示すフローチャートである。
【図４】  本発明の画像処理装置の電源ON時に行われるスキャナ動作の１例を示すフローチャートである。
【符号の説明】
１…カラースキャナ部、            ２…ＦＡＸ  Ｉ／Ｆ部、
３…スキャナ／プリンタ  Ｉ／Ｆ部、４…画像処理部、
５…カラープリンタ部、            ６…制御部、
７…ＰＣ（パーソナル  コンピュータ）。
【図１】
0004023707.tif 000002
【図２】
0004023707.tif 000003
【図３】
0004023707.tif 000004
【図４】
0004023707.tif 000005